(57)【特許請求の範囲】
【請求項１】
鍵盤シャーシ上に合成樹脂製の鍵を上下方向に回転自在に取り付けた鍵盤装置において、
前記鍵に、屈曲可能な連結部を介して、前記鍵の押鍵操作に伴って前記鍵にアクション荷重を付与するためのハンマー部を一体に成形し、
前記ハンマー部と前記連結部との間に、前記ハンマー部の回転中心である支持軸を一体に形成したことを特徴とする鍵盤装置。
【請求項２】
前記連結部は、前記鍵および前記ハンマー部と同じ合成樹脂からなる樹脂ヒンジであることを特徴とする請求項１に記載の鍵盤装置。
【請求項３】
前記鍵盤シャーシには、前記ハンマー部の回転中心である前記支持軸を回転自在に支持するハンマー支持部が設けられていることを特徴とする請求項１または２に記載の鍵盤装置。
【発明の詳細な説明】
【技術分野】
【０００１】
この発明は、電子ピアノや電子オルガンなどの鍵盤装置に関する。
【背景技術】
【０００２】
従来、鍵盤装置においては、特許文献１に記載されているように、アコースティックピアノに近似した鍵タッチ感を得るために、鍵盤シャーシ上に鍵を上下方向に回転可能に取り付けると共に、この鍵盤シャーシに鍵の押鍵操作に応じて鍵にアクション荷重を付与するハンマー部材を上下方向に回転可能に取り付けた構成のもが知られている。
【先行技術文献】
【特許文献】
【０００３】
【特許文献１】特開平０５−１０８０５９号公報
【発明の概要】
【発明が解決しようとする課題】
【０００４】
しかしながら、このような従来の鍵盤装置では、鍵とハンマー部材とがそれぞれ別々に形成されているため、鍵とハンマー部材とを別々に製作する必要があり、製作コストが高くなるばかりか、鍵とハンマー部材とをそれぞれ個別に鍵盤シャーシに組み付けなければならないため、組立作業が煩雑で面倒であり、生産性が悪いという問題がある。
【０００５】
この発明が解決しようとする課題は、生産性が良く、低コストで、アコースティックピアノに近似した鍵タッチ感を得ることができる鍵盤装置を提供することである。
【課題を解決するための手段】
【０００６】
この発明は、上記課題を解決するために、次のような構成要素を備えている。
請求項１に記載の発明は、鍵盤シャーシ上に合成樹脂製の鍵を上下方向に回転自在に取り付けた鍵盤装置において、前記鍵に、屈曲可能な連結部を介して、前記鍵の押鍵操作に伴って前記鍵にアクション荷重を付与するためのハンマー部を一体に成形し、 前記ハンマー部と前記連結部との間に、前記ハンマー部の回転中心である支持軸を一体に形成したことを特徴とする鍵盤装置である。
【０００７】
請求項２に記載の発明は、前記連結部が、前記鍵および前記ハンマー部と同じ合成樹脂からなる樹脂ヒンジであることを特徴とする請求項１に記載の鍵盤装置である。
【０００９】
請求項３に記載の発明は、前記鍵盤シャーシには、前記ハンマー部の回転中心である前記支持軸を回転自在に支持するハンマー支持部が設けられていることを特徴とする請求項１または２に記載の鍵盤装置である。
【発明の効果】
【００１０】
この発明によれば、鍵にアクション荷重を付与するためのハンマー部と鍵とを別々に形成する必要なく、鍵とハンマー部とを一度に成形することができると共に、鍵とハンマー部とを鍵盤シャーシに一度に組み付けることができる。このため、生産性が良く、低コストで、アコースティックピアノに近似した鍵タッチ感を得ることができる。
【図面の簡単な説明】
【００１１】
【図１】この発明を適用した鍵盤装置の一実施形態において、白鍵の箇所の断面を示した図である。
【図２】図１に示された鍵盤装置において、黒鍵の箇所の断面を示した図である。
【図３】図１に示された鍵盤装置における白鍵およびハンマー部を成形した際の状態を示した斜視図である。
【図４】図３に示された白鍵とハンマー部との間のＡ−Ａ矢視における要部を示した拡大断面図である。
【図５】図２に示された鍵盤装置における黒鍵およびハンマー部を成形した際の状態を示した斜視図である。
【図６】図５に示された黒鍵とハンマー部との間のＢ−Ｂ矢視における要部を示した拡大断面図である。
【図７】図１に示された鍵盤装置において、白鍵を押鍵操作した状態を示した断面図である。
【図８】図２に示された鍵盤装置において、黒鍵を押鍵操作した状態を示した断面図である。
【図９】この発明を適用した鍵の変形例を示した平面図である。
【発明を実施するための形態】
【００１２】
以下、図１〜図８を参照して、この発明を適用した鍵盤装置の一実施形態について説明する。
この鍵盤装置は、図１および図２に示すように、合成樹脂製の鍵盤シャーシ１と、この鍵盤シャーシ１上に配列されて上下方向にそれぞれ回転可能に取り付けられた複数の鍵２と、この複数の鍵２の押鍵動作に応じてそれぞれオン信号を出力するスイッチ部３と、鍵盤シャーシ１の後端部に設けられて鍵２の後端部の上側を覆う上部ケース４とを備えている。
【００１３】
鍵盤シャーシ１は、図１および図２に示すように、楽器本体の下部ケースを構成するものであり、その前端部（図１では右端部）には、前脚部５が底部から上方に突出して形成されている。この前脚部５の前端部（図１では右端部）には、鍵２の前端面に対応する前カバー部６が前部上方（図１では右側上方）に向けて更に突出して形成されている。
【００１４】
また、鍵盤シャーシ１の前後方向（図１では左右方向）におけるほぼ中間部には、図１および図２に示すように、基板載置部７が前カバー部６よりも少し低い高さで形成されている。この基板載置部７の上面には、スイッチ部３が取り付けられている。この場合、基板載置部７の前端部（図１では右端部）には、立上り部８が形成されており、この立上り部８には、後述する黒鍵１６のハンマー部１９が上下方向に移動可能に挿入するハンマー挿入用の開口部８ａが形成されている。
【００１５】
さらに、鍵盤シャーシ１の後部、つまり基板載置部７の後部側（図１では左側部）には、図１および図２に示すように、鍵載置部９が前カバー部６とほぼ同じ高さで形成されている。この鍵載置部９の上面には、鍵支持部１０が複数の鍵２にそれぞれ対応して形成されている。この鍵支持部１０には、鍵２の後端部（図１では左端部）を上下方向に回転可能に支持する支持軸１０ａが設けられている。
【００１６】
また、鍵盤シャーシ１の鍵載置部１０の後端部（図１では左端部）には、図１および図２に示すように、鍵盤シャーシ１の後端部を支持する後脚部１１が鍵盤シャーシ１の上部から底部に向けて垂下されている。なお、この後脚部１１の後端部には、上部ケース４が鍵盤シャーシ１の後端部側と鍵２の後端部側とを覆った状態で取り付けられている。この上部ケース４の内部には、楽音を放音するためのスピーカ１２が設けられている。また、この鍵盤シャーシ１の底部には、底板１３が設けられている。
【００１７】
一方、鍵２は、図１および図２に示すように、白鍵１５と黒鍵１６とを有している。白鍵１５は、図１に示すように、その後端部（図１では左端部）が鍵盤シャーシ１の鍵載置部９上に設けられた鍵支持部１０に支持軸１０ａによって上下方向に回転可能に取り付けられている。この白鍵１５の前後方向（図１では左右方向）におけるほぼ中間部には、鍵盤シャーシ１の基板載置部７上に取り付けられたスイッチ部３を押圧するためのスイッチ押圧部１５ａが下側に突出して形成されている。
【００１８】
同様に、黒鍵１６は、図２に示すように、その後端部（図２では左端部）が鍵盤シャーシ１の鍵載置部９上に設けられた鍵支持部１０に支持軸１０ａによって上下方向に回転可能に取り付けられている。この黒鍵１６の前後方向（図１では左右方向）におけるほぼ中間部には、白鍵１５と同様、鍵盤シャーシ１の基板載置部７上に取り付けられたスイッチ部３を押圧するためのスイッチ押圧部１６ａが下側に突出して形成されている。
【００１９】
この場合、スイッチ部３は、図１および図２に示すように、スイッチ基板１４上に配置されたゴムシート１７を備え、このゴムシート１７にドーム状の膨出部１７ａが鍵２の各スイッチ押圧部１５ａ、１６ａにそれぞれ対応して形成された構成になっている。このスイッチ部３は、ゴムシート１７の膨出部１７ａが各鍵２の各スイッチ押圧部１５ａ、１６ａによって押圧された際に、図６および図７に示すように、膨出部１７ａが弾性変形して、その内部の可動接点がスイッチ基板１４の固定接点（いずれも図示せず）に接触してオン信号を出力するように構成されている。
【００２０】
ところで、複数の鍵２である白鍵１５および黒鍵１６には、図１および図２に示すように、それぞれハンマー部１８、１９が一体に形成されている。すなわち、白鍵１５は、図１および図３に示すように、その先端下部（図１では右端下部）に屈曲可能な連結部である樹脂ヒンジ２０を介して、ハンマー部１８が一体に形成されている。この場合、ハンマー部１８は、図３および図４に示すように、全体がほぼ三角形の板状に形成され、錘としての機能を有するように構成されている。
【００２１】
また、樹脂ヒンジ２０は、図３に示すように、肉厚の薄い板状をなし、白鍵１５を成形する際に、白鍵１５の先端下部から前側（図３では右側）に向けて突出して形成されている。この白鍵１５の樹脂ヒンジ２０とハンマー部１８との間には、図３および図４に示すように、ハンマー部１８の回転中心となる支持軸２１が一体に形成されている。この支持軸２１は、図３および図４に示すように、樹脂ヒンジ２０の厚みよりも太い丸棒状に形成され、この丸棒状の両側に一対の軸突起２１ａが樹脂ヒンジ２０の両側縁から突出して形成されている。
【００２２】
この支持軸２１は、図１および図４の２点鎖線で示すように、樹脂ヒンジ２０を中心にハンマー部１８を白鍵１５の下側に向けて折り返した状態で、鍵盤シャーシ１に設けられた白鍵用の支持リブ２２に回転可能に支持されるように構成されている。この支持リブ２２は、図１に示すように、白鍵１５の先端下部（図１では右端下部）に対応する鍵盤シャーシ１の前脚部５に沿って底部から上部に向けて形成されていると共に、その上端部が前脚部５の上方に突出した状態で形成されている。
【００２３】
この支持リブ２２の上端部には、図１および図４の２点鎖線で示すように、樹脂ヒンジ２０を中心にハンマー部１８を白鍵１５の下側に向けて折り返した状態で、支持軸２１の一対の軸突起２１ａが上方から挿入して回転可能に保持する軸受け溝部２２ａが形成されている。この軸受け溝部２２ａ内には、支持軸２１を円滑に回転させるために、シリコーングリスなどの潤滑剤（図示せず）が塗布されている。
【００２４】
また、鍵盤シャーシ１の底板１３上には、図１に示すように、白鍵１５が押鍵操作されていない初期状態のとき、ハンマー部１８の下面が当接する下限ストッパ２３が設けられている。また、白鍵１５の内部における下面には、図６に示すように、白鍵１５が押鍵操作されてハンマー部１８が支持軸２１を中心に時計回りに回転した際に、ハンマー部１８の上面が当接する上限ストッパ２４が設けられている。これら下限ストッパ２３および上限ストッパ２４は、それぞれクッション性を有し、ハンマー部１８が当接した際に、ノイズなどの異音の発生を防ぐように構成されている。
【００２５】
このような白鍵１５、ハンマー部１８、樹脂ヒンジ２０、および支持軸２１は、ポリプロピレン（ＰＰ）などの耐屈曲性を有する合成樹脂からなり、図３に示すように、白鍵用の成形用金型（図示せず）によって成形されている。すなわち、白鍵１５、ハンマー部１８、樹脂ヒンジ２０、および支持軸２１を製作する場合には、図３に示すように、ハンマー部１８を白鍵１５の前側（図３では右側）に位置させた状態で、白鍵１５の先端下部（図３では右端下部）とハンマー部１８とを、樹脂ヒンジ２０および支持軸２１によって連結するように、白鍵用の成形用金型を形成する。
【００２６】
この場合、白鍵用の成形用金型は、下金型と上金型とからなり、図４に２点鎖線で示すように、その両者の分離面であるパーテイングラインＰＬが支持軸２１の中心を通る直線上に位置するように形成されている。また、樹脂ヒンジ２０は、成形用金型で白鍵１５、ハンマー部１８、樹脂ヒンジ２０、および支持軸２１を一体に成形した際に、その成形直後に、樹脂ヒンジ２０を複数回屈曲させる後加工を施すことにより、屈曲性を有するほかに、耐久性および強靭性が確保されている。
【００２７】
一方、黒鍵１６は、図１および図２に示すように、その前後方向の長さが白鍵１５よりも短く形成されている。この黒鍵１６は、図２および図５に示すように、その先端下部（図２では右端下部）に屈曲可能な連結部である樹脂ヒンジ２６を介して、ハンマー部１９が一体に形成されている。
【００２８】
この場合、ハンマー部１９は、図５に示すように、全体がほぼ三角形の板状に形成され、白鍵１５と同様、錘としての機能を有するように構成されている。このハンマー部１９は、図２に示すように、その後部側（図２では左側）に位置する一部が、鍵盤シャーシ１に設けられた立上り部８の開口部８ａ内に上下方向に移動可能に配置されている。
【００２９】
また、樹脂ヒンジ２６は、図５に示すように、肉厚の薄い板状をなし、黒鍵１６を成形する際に、黒鍵１６の先端下部から前側（図５では右側）に向けて突出して形成されている。この黒鍵１６の樹脂ヒンジ２６とハンマー部１９との間には、図５および図６に示すように、ハンマー部１９の回転中心となる支持軸２７が一体に形成されている。この支持軸２７は、図５および図６に示すように、樹脂ヒンジ２６の厚みよりも太い丸棒状に形成され、この丸棒状の両側に一対の軸突起２８ａが樹脂ヒンジ２６の両側縁から突出して形成されている。
【００３０】
この支持軸２７は、図２および図６の２点鎖線で示すように、樹脂ヒンジ２６を中心にハンマー部１９を黒鍵１６の下側に向けて折り返した状態で、鍵盤シャーシ１に設けられた黒鍵用の支持リブ２８に回転可能に支持されている。この支持リブ２８は、図２に示すように、黒鍵１６の先端下部（図２では右端下部）に対応する鍵盤シャーシ１の立上り部８の前側（図２では右側）に位置する鍵盤シャーシ１の箇所の底部から上部に向けて起立して形成されている。
【００３１】
この支持リブ２８の上端部には、図２および図６の２点鎖線で示すように、樹脂ヒンジ２６を中心にハンマー部１９を黒鍵１６の下側に向けて折り返した状態で、支持軸２７の一対の軸突起２８ａが上方から挿入して回転可能に保持する軸受け溝部２８ａが形成されている。この軸受け溝部２８ａ内には、支持軸２７を円滑に回転させるために、白鍵１５の軸受け溝部２２ａと同様、シリコーングリスなどの潤滑剤（図示せず）が塗布されている。
【００３２】
また、鍵盤シャーシ１の底板１３上には、図２に示すように、黒鍵１６が押鍵操作されていない初期状態のとき、ハンマー部１９の下面が当接する下限ストッパ３０が設けられている。また、鍵盤シャーシ１における基板載置部７の下面には、図７に示すように、黒鍵１６が押鍵操作されてハンマー部１９が支持軸２７を中心に時計回りに回転した際に、ハンマー部１９の上面が当接する上限ストッパ３１が設けられている。これら下限ストッパ３０および上限ストッパ３１も、それぞれクッション性を有し、ハンマー部１９が当接した際に、ノイズなどの異音の発生を防ぐように構成されている。
【００３３】
このような黒鍵１６、ハンマー部１９、樹脂ヒンジ２６、および支持軸２７は、白鍵１５と同様、ポリプロピレン（ＰＰ）などの耐屈曲性を有する合成樹脂からなり、黒鍵用の成形用金型（図示せず）によって成形されている。すなわち、黒鍵１６、ハンマー部１９、樹脂ヒンジ２６、および支持軸２７を製作する場合には、図５に示すように、ハンマー部１９を黒鍵１６の前側（図５では右側）に位置させた状態で、黒鍵１６の先端下部（図５では右端下部）とハンマー部１９とを、樹脂ヒンジ２６および支持軸２７によって連結するように、黒鍵用の成形用金型を形成する。
【００３４】
この場合、黒鍵用の成形用金型も、下金型と上金型とからなり、図６に２点鎖線で示すように、その両者の分離面であるパーテイングラインＰＬが支持軸２７の中心を通る直線上に位置するように形成されている。また、樹脂ヒンジ２６も、成形用金型で黒鍵１６、ハンマー部１９、樹脂ヒンジ２６、および支持軸２７を一体に成形した際に、その成形直後に、樹脂ヒンジ２６を複数回屈曲させる後加工を施すことにより、屈曲性を有するほかに、耐久性および強靭性が確保されている。
【００３５】
次に、鍵２である白鍵１５および黒鍵１６の各鍵２を鍵盤シャーシ１に組み付ける場合について説明する。
まず、白鍵１５を鍵盤シャーシ１に組み付ける場合には、図１に示すように、白鍵１５の先端下部に位置する樹脂ヒンジ２０を中心にハンマー部１８を白鍵１５の下側に向けて折り返す。この状態で、白鍵１５とハンマー部１８との間に設けられた支持軸２１の一対の支持突起２１ａを、鍵盤シャーシ１に設けられた支持リブ２２の上端部の軸受け溝部２２ａに上方から挿入させる。この軸受け溝部２２ａには、予め、シリコーングリスなどの潤滑剤を塗布しておく。
【００３６】
これにより、ハンマー部１８が鍵盤シャーシ１に対して支持軸２１を中心に上下方向に回転可能に取り付けられる。この後、白鍵１５の後端部（図１では左端部）を鍵盤シャーシ１の鍵載置部９上に設けられた鍵支持部１０に支持軸１０ａによって回転可能に取り付ける。この結果、図１に示すように、白鍵１５が鍵盤シャーシ１上に上下方向に回転可能に取り付けられると共に、ハンマー部１８が鍵盤シャーシ１に対して上下方向に回転可能に取り付けられる。
【００３７】
また、黒鍵１６を鍵盤シャーシ１に組み付ける場合には、図２に示すように、黒鍵１６の先端下部に位置する樹脂ヒンジ２６を中心にハンマー部１９を黒鍵１６の下側に向けて折り返す。この状態で、黒鍵１６とハンマー部１９との間に設けられた支持軸２７の一対の支持突起２８ａを、鍵盤シャーシ１に設けられた支持リブ２８の上端部の軸受け溝部２８ａに上方から挿入させる。
【００３８】
このときには、図２に示すように、ハンマー部１９の後部側（図２では左側）に位置する一部を、鍵盤シャーシ１に設けられた立上り部８の開口部８ａ内に上下方向に移動可能な状態で挿入させる。また、このときにも、軸受け溝部２８ａに、予め、シリコーングリスなどの潤滑剤を塗布しておく。
【００３９】
これにより、ハンマー部１９が鍵盤シャーシ１に対して支持軸２７を中心に上下方向に回転可能に取り付けられる。この後、黒鍵１６の後端部（図２では左端部）を鍵盤シャーシ１の鍵載置部９上に設けられた鍵支持部１０に支持軸１０ａによって回転可能に取り付ける。この結果、図２に示すように、黒鍵１６が鍵盤シャーシ１上に上下方向に回転可能に取り付けられると共に、ハンマー部１９が鍵盤シャーシ１に対して上下方向に回転可能に取り付けられる。
【００４０】
次に、このような鍵盤装置の作用について説明する。
この鍵盤装置では、複数の鍵２が白鍵１５と黒鍵１６とを有していることにより、ここでは、まず、白鍵１５について説明する。この白鍵１５が押鍵操作されていない初期状態のときには、図１に示すように、ハンマー部１８が自身の重量によって、鍵盤シャーシ１の支持リブ２２に回転可能に支持された支持軸２１を中心に反時計回りに回転し、このハンマー部１８が鍵盤シャーシ１の底板１３上に設けられた下限ストッパ２３に当接している。
【００４１】
このときには、図１に示すように、ハンマー部１８の回転に伴って樹脂ヒンジ２０が支持軸２１を中心に反時計回りに回転して、白鍵１５の先端下部を押し上げる。これにより、白鍵１５は、鍵盤シャーシ１の鍵載置部９上に設けられた鍵支持部１０の支持軸１０ａを中心に反時計回りに回転して上限位置に規制されている。この状態では、白鍵１５のスイッチ押圧部１５ａがスイッチ部３の上方に位置して離れている。
【００４２】
この状態で、白鍵１５を押鍵操作すると、図７に示すように、白鍵１５が鍵支持部１０の支持軸１０ａを中心に時計回りに回転して、白鍵１５の先端下部が樹脂ヒンジ２０を押し下げる。これにより、ハンマー部１８が自身の重量に抗して、鍵盤シャーシ１の支持リブ２２に回転可能に支持された支持軸２１を中心に時計回りに回転し、白鍵１５にアクション荷重を付与する。このときには、支持軸２１がシリコーングリスなどの潤滑剤によって支持リブ２２の軸受け溝部２２ａ内で円滑に回転する。
【００４３】
そして、白鍵１５の押鍵操作に伴ってハンマー部１８が時計回りに回転して、図７に示すように、ハンマー部１８の上面が白鍵１５の内部に設けられた上限ストッパ２４に当接し、ハンマー部１８の時計回り方向の回転が停止される。このときには、上限ストッパ２４がクッション性を有しているので、ノイズなどの異音を発生することがない。また、このときには、スイッチ部３が白鍵１５のスイッチ押圧部１５ａによって押圧され、ゴムシート１７の膨出部１７ａが弾性変形することにより、スイッチ部３がスイッチ信号を出力して、スピーカ１２から楽音を放音させる。
【００４４】
この後、ハンマー部１８は、その自重によって、鍵盤シャーシ１の支持リブ２２に回転可能に支持された支持軸２１を中心に反時計回りに回転し、これに伴って樹脂ヒンジ２０が支持軸２１を中心に反時計回りに回転して、白鍵１５の先端下部を押し上げる。これにより、白鍵１５は、図１に示すように、初期位置に戻る。
【００４５】
一方、黒鍵１６は、白鍵１５と同様、押鍵操作されていない初期状態のときには、図２に示すように、ハンマー部１９が自身の重量によって、鍵盤シャーシ１の支持リブ２８に回転可能に支持された支持軸２７を中心に反時計回りに回転し、このハンマー部１９が鍵盤シャーシ１の底板１３上に設けられた下限ストッパ３０に当接している。
【００４６】
このときには、図２に示すように、ハンマー部１９の回転に伴って樹脂ヒンジ２６が支持軸２７を中心に反時計回りに回転して、黒鍵１６の先端下部を押し上げる。これにより、黒鍵１６は、鍵盤シャーシ１の鍵載置部９上に設けられた鍵支持部１０の支持軸１０ａを中心に反時計回りに回転して上限位置に規制されている。この状態では、黒鍵１６のスイッチ押圧部１６ａがスイッチ部３の上方に位置して離れている。
【００４７】
この状態で、黒鍵１６を押鍵操作すると、図８に示すように、黒鍵１６が鍵支持部１０の支持軸１０ａを中心に時計回りに回転して、黒鍵１６の先端下部が樹脂ヒンジ２６を押し下げる。これにより、ハンマー部１９は、それ自身の重量に抗して、鍵盤シャーシ１の支持リブ２８に回転可能に支持された支持軸２７を中心に時計回りに回転し、黒鍵１６にアクション荷重を付与する。このときには、支持軸２７がシリコーングリスなどの潤滑剤によって支持リブ２８の軸受け溝部２８ａ内で円滑に回転する。
【００４８】
そして、黒鍵１６の押鍵操作に伴ってハンマー部１９が時計回りに回転して、図８に示すように、ハンマー部１９の上面が黒鍵１６の内部に設けられた上限ストッパ３１に当接し、ハンマー部１９の時計回り方向の回転が停止される。このときには、上限ストッパ３１がクッション性を有しているので、ノイズなどの異音を発生することがない。また、このときには、スイッチ部３が黒鍵１６のスイッチ押圧部１６ａによって押圧され、ゴムシート１７の膨出部１７ａが弾性変形することにより、スイッチ部３がスイッチ信号を出力して、スピーカ１２から楽音を放音させる。
【００４９】
この後、ハンマー部１９は、その自重によって、鍵盤シャーシ１の支持リブ２８に回転可能に支持された支持軸２７を中心に反時計回りに回転し、これに伴って樹脂ヒンジ２６が支持軸２７を中心に反時計回りに回転して、黒鍵１６の先端下部を押し上げる。これにより、黒鍵１６は、図２に示すように、初期位置に戻る。
【００５０】
このように、この鍵盤装置によれば、鍵盤シャーシ１上に上下方向に回転自在に取り付けられた合成樹脂製の鍵２に、屈曲可能な連結部である樹脂ヒンジ２０、２６を介して、鍵２の押鍵操作に伴って鍵２にアクション荷重を付与するためのハンマー部１８、１９を一体に成形したので、鍵２とハンマー部１８、１９とを別々に形成する必要なく、その両者を一度に成形することができると共に、鍵２とハンマー部１８、１９とを鍵盤シャーシ１に一度に組み付けることができる。このため、生産性が良く、低コストで、アコースティックピアノに近似した鍵タッチ感を得ることができる。
【００５１】
この場合、合成樹脂製の鍵２は、白鍵１５と黒鍵１６とを有しており、白鍵１５には、屈曲可能な連結部である樹脂ヒンジ２０を介して、白鍵１５にアクション荷重を付与するハンマー部１８が一体に成形されているので、白鍵１５とハンマー部１８とを別々に形成する必要なく、両者を一度に成形することができると共に、白鍵１５とハンマー部１８とを鍵盤シャーシ１に一度に組み付けることができる。このため、白鍵１５の生産性が良く、低コスト化を図ることができる。
【００５２】
同様に、黒鍵１６には、屈曲可能な連結部である樹脂ヒンジ２６を介して、黒鍵１６にアクション荷重を付与するハンマー部１９が一体に成形されているので、黒鍵１６とハンマー部１９とを別々に形成する必要なく、両者を一度に成形することができると共に、黒鍵１６とハンマー部１９とを鍵盤シャーシ１に一度に組み付けることができる。このため、黒鍵１６の生産性が良く、低コスト化を図ることができる。
【００５３】
また、白鍵１５の樹脂ヒンジ２０は、白鍵１５およびそのハンマー部１８と同じ合成樹脂であることにより、この合成樹脂によって白鍵１５とハンマー部１８とを連結させた状態で一度に成形することができる。すなわち、白鍵１５を成形用金型で成形する場合には、図３に示すように、ハンマー部１８を白鍵１５の前側に位置させた状態で、白鍵１５の先端下部とハンマー部１８とを樹脂ヒンジ２０で連結することにより、白鍵用の成形用金型の構造が簡単で、成形用金型を容易に製作することができると共に、この成形用金型によって白鍵１５とハンマー部１８とを樹脂ヒンジ２０で連結させた状態で容易に成形することができる。
【００５４】
この場合、白鍵１５の樹脂ヒンジ２０は、ポリプロピレン（ＰＰ）などの耐屈曲性を有する合成樹脂であることにより、成形用金型で白鍵１５およびハンマー部１８を成形した際に、その成形直後に、樹脂ヒンジ２０を複数回屈曲させる後加工を施すことにより、屈曲性を有するほかに、耐久性および強靭性を確保することができる。
【００５５】
このように成形された白鍵１５を鍵盤シャーシ１に組み付ける場合には、樹脂ヒンジ２０を中心にハンマー部１８を白鍵１５の下側に向けて折り返すことにより、ハンマー部１８を備えていても、白鍵１５を鍵盤シャーシ１にコンパクトに組み付けることができ、これにより鍵盤装置全体の小型化を図ることができる。
【００５６】
また、黒鍵１６の樹脂ヒンジ２６も、黒鍵１６およびそのハンマー部１９と同じ合成樹脂であることにより、この合成樹脂によって黒鍵１６とハンマー部１９とを連結させた状態で一度に成形することができる。すなわち、黒鍵１６においても、成形用金型で成形する場合には、図５に示すように、ハンマー部１９が黒鍵１６の前側に位置させた状態で、黒鍵１６の先端下部とハンマー部１９とを樹脂ヒンジ２６とで連結することにより、黒鍵用の成形用金型の構造が簡単で、成形用金型を容易に製作することができると共に、この成形用金型によって黒鍵１６とハンマー部１９とを樹脂ヒンジ２６で連結させた状態で容易に成形することができる。
【００５７】
この場合にも、黒鍵１６の樹脂ヒンジ２６は、ポリプロピレン（ＰＰ）などの耐屈曲性を有する合成樹脂であることにより、成形用金型で黒鍵１６およびハンマー部１９を成形した際に、その成形直後に、樹脂ヒンジ２６を複数回屈曲させる後加工を施すことにより、屈曲性を有するほかに、耐久性および強靭性を確保することができる。
【００５８】
このように成形された黒鍵１６を鍵盤シャーシ１に組み付ける場合にも、樹脂ヒンジ２６を中心にハンマー部１９を黒鍵１６の下側に向けて折り返すことにより、ハンマー部１９を備えていても、黒鍵１６をコンパクトに鍵盤シャーシ１に組み付けることができ、これによっても鍵盤装置全体の小型化を図ることができる。
【００５９】
また、この鍵盤装置では、ハンマー部１８、１９と連結部である樹脂ヒンジ２０、２６との間に、ハンマー部１８、１９の各回転中心となる支持軸２１、２７が一体に形成されていることにより、部品点数を削減することができると共に、組立て作業性の向上を図ることができるほか、成形用金型によって、ハンマー部１８を有する白鍵１５、およびハンマー部１９を有する黒鍵１６ごとに、一度に成形することができる。
【００６０】
すなわち、ハンマー部１８を有する白鍵１５を成形用金型で成形する場合には、成形用金型を下金型と上金型とに分割し、その両者の分離面であるパーテイングラインＰＬを支持軸２１の中心に位置させることにより、支持軸２１がハンマー部１８と樹脂ヒンジ２０との間に設けられた構成であっても、成形用金型の構造が簡単で、この成形用金型によって支持軸２１を白鍵１５およびハンマー部１８と共に一度に成形することができる。
【００６１】
同様に、ハンマー部１９を有する黒鍵１６を成形用金型で成形する場合にも、成形用金型を下金型と上金型とに分割し、その両者の分離面であるパーテイングラインＰＬを支持軸２７の中心に位置させることにより、支持軸２７がハンマー部１９と樹脂ヒンジ２６との間に設けられた構成であっても、成形用金型の構造が簡単で、この成形用金型によって支持軸２７を黒鍵１６およびハンマー部１９と共に一度に成形することができる。
【００６２】
さらに、この鍵盤装置では、鍵盤シャーシ１にハンマー部１８、１９の回転中心である支持軸２１、２８を回転自在に支持するハンマー支持部である支持リブ２２、２９が設けられているので、この支持リブ２２、２９によってハンマー部１８、１９を上下方向に回転可能な状態で良好に支持することができる。
【００６３】
すなわち、白鍵１５におけるハンマー部１８の回転中心である支持軸２１は、その一対の軸突起２１ａが鍵盤シャーシ１に設けられた支持リブ２２の軸受け溝部２２ａに回転自在に支持されているので、白鍵１５にハンマー部１８が一体に形成されていても、ハンマー部１８を上下方向に円滑に且つ良好に回転させることができる。
【００６４】
同様に、黒鍵１６におけるハンマー部１９の回転中心である支持軸２７は、その一対の軸突起２７ａが鍵盤シャーシ１に設けられた支持リブ２８の軸受け溝部２８ａに回転自在に支持されているので、黒鍵１６にハンマー部１９が一体に形成されていても、ハンマー部１９を上下方向に円滑に且つ良好に回転させることができる。
【００６５】
なお、上述した実施形態では、複数の鍵２である白鍵１５および黒鍵１６が鍵盤シャーシ１の鍵載置部９上に形成された鍵支持部１０に支持軸１０ａによってそれぞれ上下方向に回転可能に取り付けられている場合について述べたが、これに限らず、例えば図９に示す変形例のように、複数の鍵は、音階順に配列された状態で、その配列方向に沿って連続させて一体に形成した構成のものであっても良い。
【００６６】
この場合、複数の鍵は、図９に示すように、複数の白鍵３５であり、それぞれ音階順に配置されている。この複数の白鍵３５の各後端部（図９では上辺側に位置する端部）には、上下方向に屈曲可能な薄肉部からなる屈曲部３６がそれぞれ形成されており、この各屈曲部３６は、白鍵３５の配列方向に沿って連続する連結部３７に連結された状態で形成されている。この連結部３７は、鍵盤シャーシ１の鍵載置部９上にビス３７ａによって取り付けられるように構成されている。
【００６７】
この複数の白鍵３５の各先端部（図９では下辺側に位置する端部）には、上述した実施形態と同様、ハンマー部１８が樹脂ヒンジ２０を介して一体に形成されている。この場合にも、ハンマー部１８と樹脂ヒンジ２０との間には、支持軸２１に形成されている。この支持軸２１は、鍵盤シャーシ１に形成された支持リブ２２に回転可能に支持されるように構成されている。
【００６８】
このように構成された複数の白鍵３５は、上述した実施形態と同様、各樹脂ヒンジ２０を中心に各ハンマー部１８をそれぞれ回転させて各白鍵３５の下側に配置させた状態で、各支持軸２１を鍵盤シャーシ１に形成された各支持リブ２２に回転可能に支持させ、この状態で連結部３７を鍵盤シャーシ１の鍵載置部９上にビス３７ａによって取り付けることにより、複数の白鍵３５を複数のハンマー部１８と共に一度に鍵盤シャーシ１に取り付けることができるので、より一層、組立作業を向上させることができる。なお、このような構成は、白鍵３５に限らず、黒鍵にも適用することができる。
【００６９】
なおまた、上述した実施形態では、鍵２とハンマー部１８、１９とを連結する連結部である樹脂ヒンジ２０、２６を鍵２とハンマー部１８、１９と同じ合成樹脂で形成した場合について述べたが、これに限らず、樹脂ヒンジ２０、２６をポリプロピレン（ＰＰ）などの耐屈曲性を有する合成樹脂で形成し、鍵２およびハンマー部１８、１９を異なる樹脂で形成しても良い。この場合には、２色成形によって形成すれば良い。また、これに限らず、連結部は、屈曲性の高い線材や板ばねなどの部材をインサート成形した構成であっても良い。
【符号の説明】
【００７０】
１  鍵盤シャーシ
２  鍵
１０  鍵支持部
１０ａ  支持軸
１５、３５  白鍵
１６  黒鍵
１８、１９  ハンマー部
２０、２６  樹脂ヒンジ
２１、２７  支持軸
２１ａ、２７ａ  軸突起
２２、２８  支持リブ
２２ａ、２８ａ  軸受け溝部
２３、３０  下限ストッパ
２４、３１  上限ストッパ
３６  屈曲部
３７  連結部
【図１】
0005590502.tif 000002
【図２】
0005590502.tif 000003
【図３】
0005590502.tif 000004
【図４】
0005590502.tif 000005
【図５】
0005590502.tif 000006
【図６】
0005590502.tif 000007
【図７】
0005590502.tif 000008
【図８】
0005590502.tif 000009
【図９】
0005590502.tif 000010